(57)【要約】【課題】空調空気の到達特性を向上させる。【解決手段】吸込口９，１０と吹出口１１が設けられた室内機１００の本体１内に、吸込口９，１０から吸込まれた空気を吹出口１１に導く通風路と、この通風路中に配置された室内熱交換器５及び送風機６と、吹出口１１に設けられ吹出し空気の風向を上下方向で変更する上下風向ルーバー８と、を備え、上下風向ルーバー８は、側面視で裏面側に突出する弧状又は山形に形成して、暖房時の下向きの温風到達距離を延ばし、温風到達特性を向上させる。【選択図】図３
2014102006.tif 000002
【特許請求の範囲】
【請求項１】
吸込口と吹出口とが設けられた室内機の本体内に、前記吸込口から吸込まれた空気を前記吹出口に導く通風路と、この通風路中に配置された室内熱交換器及び送風機と、前記吹出口に設けられ吹出し空気の風向を上下方向で変更する上下風向ルーバーと、を備えた空気調和機において、
前記上下風向ルーバーは、側面視で裏面側に突出する弧状又は山形に形成されていることを特徴とする空気調和機。
【請求項２】
前記吹出口に、該吹出口を覆い前記上下風向ルーバーを隠蔽可能なシャッターを設けたことを特徴とする請求項１記載の空気調和機。
【請求項３】
前記シャッターには、一部に前記吹出口を開放可能な開口部が形成されていることを特徴とする請求項２記載の空気調和機。
【請求項４】
前記シャッターの駆動用ローラーを一対備え、これら駆動用ローラーに前記シャッターの両端部が掛け回され、これら駆動用ローラー間で前記シャッターが巻き取り、繰り出しされることで、前記シャッターの前記開口部による前記吹出口の開放、前記シャッターの前記開口部以外の部位による前記吹出口の閉塞が行われることを特徴とする請求項３記載の空気調和機。
【請求項５】
前記シャッターの駆動用ローラーを単一備え、該単一の駆動用ローラーに前記シャッターの一端部が巻回されて巻き取り、繰り出しされることで、前記シャッターの前記開口部による前記吹出口の開放、前記シャッターの前記開口部以外の部位による前記吹出口の閉塞が行われることを特徴とする請求項３記載の空気調和機。
【請求項６】
前記駆動用ローラーを駆動させるステッピングモーターを設けたことを特徴とする請求項４又は請求項５記載の空気調和機。
【発明の詳細な説明】
【技術分野】
【０００１】
本発明は、空気調和機の上下風向ルーバー及び吹出口の構造に関するものである。
【背景技術】
【０００２】
従来より、吹出口に上下風向ルーバーを備えた空気調和機は知られている。この空気調和機は、上下風向ルーバーを駆動させて、吹出し空気の風向を制御している。また、運転停止時は、上下風向ルーバーを使用して、その角度を変更して吹出口を閉塞していた（例えば、特許文献１参照）。
【先行技術文献】
【特許文献】
【０００３】
【特許文献１】特開２００９−５８２０６号公報（第２図）
【発明の概要】
【発明が解決しようとする課題】
【０００４】
従来の空気調和機は、既述したように運転時には上下風向ルーバーを駆動させて、風向制御を実施し、かつユニット停止時には、上下風向ルーバーの角度を変更して、吹出口を閉塞していた。そのため、上下風向ルーバーの側面視の断面形状は、閉塞時の意匠調和を図るために、表面側に突出する曲面に形成されていた。しかし、上下風向ルーバーの形状が表面側に突出する曲面形状の場合は、運転時に、上下風向ルーバーにより制御される吹出し空気の風向が上向きとなる傾向にある。このため、暖房運転の場合は、温風が床面に到達しにくく、室温分布が不均一になるという難点があった。
【０００５】
本発明は、前記のような課題を解決するためになされたもので、空調空気の到達特性を向上させることを第１の目的とする。また、加えて運転停止時の意匠性を向上させることを目的としたものである。
【課題を解決するための手段】
【０００６】
本発明に係る空気調和機は、吸込口と吹出口が設けられた室内機の本体内に、吸込口から吸込まれた空気を吹出口に導く通風路と、この通風路中に配置された室内熱交換器及び送風機と、吹出口に設けられ吹出し空気の風向を上下方向で変更する上下風向ルーバーと、を備えた空気調和機において、上下風向ルーバーは、側面視で裏面側に突出する弧状又は山形に形成されているものである。
【発明の効果】
【０００７】
本発明の空気調和機によれば、上下風向ルーバーが側面視で裏面側に突出する弧状又は山形に形成されているので、上下風向ルーバーにより制御される吹出し空気の風向が下向きとなり、空調空気の到達距離を延ばすことができ、空調空気の到達特性を向上させることができる。
【図面の簡単な説明】
【０００８】
【図１】実施形態１に係る空気調和機の運転停止時の外観を示す斜視図である。
【図２】実施形態１に係る空気調和機の運転時の外観を示す斜視図である。
【図３】実施形態１に係る空気調和機の運転停止時の状態を示す側面視の断面図である。
【図４】実施形態１に係る空気調和機のシャッターを展開して示す斜視図である。
【図５】実施形態１に係る空気調和機のシャッターとシャッターの駆動用ローラーとの関係を示す斜視図である。
【図６】実施形態１に係る空気調和機の運転時の状態を示す側面視の概略断面図である。
【図７】実施形態１に係る空気調和機の運転時の風の流れ示す側面視の概略断面図である。
【図８】実施形態１に係る空気調和機の運転停止時の状態を示す側面視の概略断面図である。
【図９】実施形態２に係る空気調和機の運転停止時の状態を示す側面視の概略断面図である。
【発明を実施するための形態】
【０００９】
以下、本発明の実施形態を図面に基づいて説明する。
【００１０】
実施形態１．
図１は実施形態１に係る空気調和機の運転停止時の外観を示す斜視図である。図２は実施形態１に係る空気調和機の運転時の外観を示す斜視図である。図３は実施形態１に係る空気調和機の運転停止時の状態を示す側面視の断面図である。
図１乃至図３に示すように、実施形態１の空気調和機は、図１乃至図３のように室内機１００が、通常、部屋の壁に取り付けられる。室内機１００は、室外機（図示せず）に冷媒管や電気配線などによって接続されている。そして、運転時には、図２のように吹出口１１に設けられた上下風向ルーバー８にて、吹出し空気の風向が上下方向で制御される（図２）。また、運転停止時には、吹出口１１がシャッター１２にて覆われて閉塞され、上下風向ルーバー８が隠蔽される（図１、図３）。
【００１１】
これを更に詳述すると、室内機１００は、図３のように前面パネル２、後本体部３、及びノーズ４を有する本体１内に、室内熱交換器５、送風機６、左右風向ルーバー７、上下風向ルーバー８を備えている。上下風向ルーバー８は、側面視で裏面側に突出する弧状又は山形状に形成されており、図示しないルーバー駆動用のステッピングモーターによって上下方向に揺動されるように制御され、これにより吹出口１１から送り出される空気流の方向が上下に変更される。
【００１２】
前面パネル２には、前面に前部吸込口９が形成されているとともに、上部に上部吸込口１０が形成され、これら前部吸込口９及び上部吸込口１０から室内機１００の本体１内に室内空気が吸込まれる。後本体部３は、室内機１００の本体１の後部を構成し、室内熱交換器５、送風機６などを配置している。室内機１００の本体１の下方には、吹出口１１が形成されている。吹出口１１を通して、室内熱交換器５で熱交換された空気が室内に吹き出される。シャッター１２は、その両端側に配置された一対の駆動用ローラー１３により駆動される。
【００１３】
図４は実施形態１に係る空気調和機のシャッターを展開して示す斜視図である。図５は実施形態１に係る空気調和機のシャッターとシャッターの駆動用ローラーとの関係を示す斜視図である。図４及び図５に示すように、シャッター１２は、図４のように複数のスラット（シャッターを構成する板）１５が連なった構造を有し、その一部には、吹出口１１を開放可能な開口部１４が形成されている。また、シャッター１２は、図５のように両端側が一対の駆動用ローラー１３に掛け回されており、これら駆動用ローラー１３間で巻き取り、繰り出しされることで、開口部１４による吹出口１１の開放、スラット１５部による吹出口１１の閉塞が行われるようになっている。このため、シャッター１２による吹出口１１の開放、閉塞をスムーズに行うことができる。
【００１４】
また、シャッター１２は、両側部が図示しないガイドレールにより案内されるようになっている。さらに、一対の駆動用ローラー１３は、例えば互いの軸部にチェーンが掛け回されて連動するように構成され、図示しないローラー駆動用のステッピングモーターによって可逆可能に回転制御されるようになっている。これにより、シャッター１２による吹出口１１の開放、閉塞の自動化が可能となる。
【００１５】
次に、実施形態１に係る空気調和機の動作について図６乃至図８に基づき、図１乃至図５を参照しながら説明する。まず、運転が開始されると、ローラー駆動用のステッピングモーターによって一対の駆動用ローラー１３が駆動され、図８のように吹出口１１を覆っていたシャッター１２が移動を開始し、開口部１４が吹出口１１の位置にくると、移動が停止される。これにより、図６のように吹出口１１が開放され、隠蔽されていた上下風向ルーバー８が露出する。
次いで、送風機６が回転し、前部吸込口９及び上部吸込口１０から室内空気が吸込まれる。吸込まれた室内空気は、室内熱交換器５を通ることで、室内熱交換器５内を流れる冷媒との間で熱交換され、その後、左右風向ルーバー７及び上下風向ルーバー８の周囲を通って、図７のように吹出口１１から室内に送り出される。このとき、上下風向ルーバー８は図示しないルーバー駆動用のステッピングモーターによって上下方向に揺動されるように制御され、これにより空気調和機の吹出口１１から送り出される空気流の方向が上下に変更され、暖房運転時には下向きとなる。
このとき、上下風向ルーバー８は、側面視で裏面側に突出する弧状又は山形の形状を有しているので、上下風向ルーバー８により制御される吹出し空気の風向を、従来よりも下向きとすることが可能となる。特に、暖房運転時には、下向きの温風到達距離を延ばすことができ、温風到達特性を向上させることができる。
【００１６】
運転停止時には、ローラー駆動用のステッピングモーターによって一対の駆動用ローラー１３が駆動され、図６及び図７のように吹出口１１を開放していたシャッター１２が移動を開始し、開口部１４以外のスラット１５部が吹出口１１の位置にくると、移動が停止される。これにより、図８のように吹出口１１が閉塞され、上下風向ルーバー８が隠蔽される。このため、運転停止時の意匠性を向上させることができる。
【００１７】
実施形態２．
図９は実施形態２に係る空気調和機の運転停止時の状態を示す側面視の概略断面図であり、前述の実施形態１に相当する部分には同一符号を付してある。なお、説明に当たっては前述の図４を参照するものとする。
本発明の実施形態２の空気調和機は、図９のようにシャッター１２の駆動用ローラー１３の数を１個とし、この駆動用ローラー１３にシャッター１２の一端部を巻回して、ローラー駆動用のステッピングモーターによってシャッター１２を巻き取り、繰り出しできるようにした点が前述の実施形態１のものと異なっており、それ以外の構成は実施形態１のものと同一である。
【００１８】
シャッター１２は、両側部が図示しないガイドレールにより案内され、動きはスムーズである。また、シャッター１２の移動量は、開口部１４が吹出口１１に出没可能な量だけでよい。そのため、シャッター１２の駆動用ローラー１３の数を１個とすることが可能である。これにより、部品点数が減らせ、製造簡素化が図れ、コスト削減が可能となる。
【符号の説明】
【００１９】
１  本体、２  前面パネル、３  後本体部、４  ノーズ、５  室内熱交換器、６  送風機、７  左右風向ルーバー、８  上下風向ルーバー、９  前部吸込口（吸込口）、１０  上部吸込口（吸込口）、１１  吹出口、１２  シャッター、１３  駆動用ローラー、１４  開口部、１５  スラット、１００  室内機。
【図１】
2014102006.tif 000003
【図２】
2014102006.tif 000004
【図３】
2014102006.tif 000005
【図４】
2014102006.tif 000006
【図５】
2014102006.tif 000007
【図６】
2014102006.tif 000008
【図７】
2014102006.tif 000009
【図８】
2014102006.tif 000010
【図９】
2014102006.tif 000011